【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
外部電源への接続のためのシステム電力ノードと、
バッテリーへの接続のためのバッテリー・ノードと、
前記システム電力ノードおよび前記バッテリー・ノードの間の電圧差を検出するために接続されている比較器回路と、
前記バッテリーへの電流フローを示す第１の信号を生成するように動作可能な第１の検出回路と、ここにおいて、前記第１の検出回路は、アナログ回路である、
前記バッテリーへの前記電流フローを示す第２の信号を生成するように動作可能な第２の検出回路と、ここにおいて、前記第２の検出回路は、デジタル回路を備える、および、
前記システム電力ノードおよび前記バッテリー・ノードの間に接続されているバッテリー・スイッチと、なお、前記バッテリー・スイッチは、オン状態およびオフ状態を有し、ここにおいて、前記バッテリー・ノードは、前記バッテリー・スイッチが前記オン状態であるときに前記システム電力ノードに電気的に接続され、前記バッテリー・スイッチが前記オフ状態であるときに前記システム電力ノードから電気的に接続解除され、
前記バッテリー・スイッチは、前記比較器回路によって検出される、前記バッテリー・ノードおよび前記システム電力ノードの間の前記電圧差に基づいて前記オン状態であり、
前記バッテリー・スイッチは、前記第１の検出回路が前記第１の信号を生成するときに、または、前記第２の検出回路が前記第２の信号を生成するときに、前記オフ状態であり、
前記第１の検出回路は、第１の検出下限を有し、前記第２の検出回路は、前記第１の検出下限未満の第２の検出下限を有し、
前記第１の検出回路は、前記第２の検出回路の検出時間より速い検出時間を有する、
を備えるバッテリー充電回路。
【請求項２】
前記第１の検出回路は、アナログ比較器であり、前記第２の検出回路は、シグマ・デルタ・アナログ・デジタル変換器（ＡＤＣ）である、請求項１に記載の回路。
【請求項３】
前記第１の検出回路は、アナログ比較器であり、前記第２の検出回路は、クーロン計数ＡＤＣである、請求項１に記載の回路。
【請求項４】
前記第１の検出回路から離れているバッテリー監視システム（ＢＭＳ）をさらに備え、ここにおいて、前記ＢＭＳは、前記第２の検出回路を備える、請求項１に記載の回路。
【請求項５】
前記第２の検出回路は、前記ＢＭＳにおけるシグマ・デルタＡＤＣである、または、前記第２の検出回路は、前記ＢＭＳにおけるクーロン計数ＡＤＣである、請求項４に記載の回路。
【請求項６】
バッテリーの充電が有効にされるかどうかを示すバッテリー充電イネーブル信号をさらに備え、ここにおいて、前記バッテリー・スイッチは、前記バッテリー充電イネーブル信号が、バッテリーの充電が無効にされることを示すときにのみ、前記第１の検出回路および前記第２の検出回路によって制御可能である、請求項１に記載の回路。
【請求項７】
前記外部電源は、ＤＣ調整電圧源である、請求項１に記載の回路。
【請求項８】
外部電源、バッテリーおよびロードに接続するための接続を有するバッテリー充電回路であって、前記バッテリー充電回路は、
前記ロードの電気の流れ（「電流」）の要求が、前記外部電源の電流容量を超過するときに、前記外部電源および前記バッテリーを前記ロードに接続するための、電圧崩壊保護（ＶＣＰ）起動手段と、
前記バッテリーを通る電流フローを感知し、前記電流フローを示す第１の信号をアサートするための第１の信号手段と、
前記バッテリーを通る前記電流フローを感知し、前記電流フローを示す第２の信号をアサートするための第２の信号手段と、および、
前記第１の信号がアサートされるか前記第２の信号がアサートされるときに、前記ロードから前記バッテリーを接続解除するためのＶＣＰ終了手段と、
ここにおいて、前記第１の信号手段は、前記第２の信号手段の検出下限より大きい検出下限を有し、
前記第１の信号手段は、前記第２の信号手段の検出時間より速い検出時間を有する、
を備える、バッテリー充電回路。
【請求項９】
前記第１の信号手段は、アナログ回路であり、前記第２の信号手段は、デジタル回路である、請求項８に記載の回路。
【請求項１０】
前記バッテリー充電回路は、バッテリー管理システム（ＢＭＳ）をさらに備え、ここにおいて、前記第１の信号手段は、前記ＢＭＳから離れており、ここにおいて、前記第２の信号手段は、前記ＢＭＳにおいて回路を備える、請求項８に記載の回路。
【請求項１１】
前記ＶＣＰ起動手段は、前記外部電源の電圧レベル、および前記バッテリーの電圧レベルを感知するために接続されている比較器を備える、請求項８に記載の回路。
【請求項１２】
バッテリー充電回路における方法であって、
前記バッテリー充電回路において電圧崩壊保護（ＶＣＰ）の動作を起動し、これによって外部電源からの電流およびバッテリーからの電流をロードに提供することと、
前記バッテリーを通る電流フローを示す第１の信号をアサートするために第１の検出回路を使用して、および、前記バッテリーを通る前記電流フローを示す第２の信号をアサートするために第２の検出回路を使用して、前記バッテリーを通る前記電流フローを感知することと、および、
前記第１の信号が前記第１の検出回路によってアサートされるか、前記第２の信号が前記第２の検出回路によってアサートされるときに、前記ＶＣＰの動作を終了することと、
なお、前記第１の検出回路は、第１の検出下限を有し、前記第２の検出回路は、前記第１の検出下限より小さい第２の検出下限を有し、
前記第１の検出回路は、前記第２の検出回路の検出時間より短い検出時間を有する、
を備える方法。
【請求項１３】
前記第１の検出回路は、アナログ回路であり、前記第２の検出回路は、デジタル回路である、および、望ましくは、前記第２の検出回路は、ＡＤＣ回路である、請求項１２に記載の方法。
【請求項１４】
前記バッテリー充電回路は、バッテリー管理システム（ＢＭＳ）を備え、ここにおいて、前記第１の検出回路は、前記ＢＭＳから離れており、前記第２の検出回路は、前記ＢＭＳのコンポーネントである、請求項１２に記載の方法。
【請求項１５】
前記ＶＣＰの動作を終了することは、前記ロードから前記バッテリーを接続解除することを含む、請求項１２に記載の方法。
【手続補正２】
【補正対象書類名】明細書
【補正対象項目名】００３７
【補正方法】変更
【補正の内容】
【００３７】
[0039]  上述の説明は、特定の実施形態の態様がどのように実施され得るかについての例と共に、本発明のさまざまな実施形態を示す。上記の例は、単なる実施形態であると見なされるべきではなく、下記の請求項によって定義されるような特定の実施形態の有効性および柔軟性を例示するために、示されている。上記の開示および下記の請求項に基づいて、他の配列、実施形態、実施およびそれらと同等のものが、請求項によって定義されている本開示の範囲から逸脱しないで使用され得る。
なお、本願の出願当初の請求項と同一の記載を以下に付記する。
［Ｃ１］ 外部電源への接続のためのシステム電力ノードと、
バッテリーへの接続のためのバッテリー・ノードと、
前記システム電力ノードおよび前記バッテリー・ノードの間の電圧差を検出するために接続されている比較器回路と、
前記バッテリーへの電流フローを示す第１の信号を生成するように動作可能な第１の検出回路と、ここにおいて、前記第１の検出回路は、アナログ回路である、
前記バッテリーへの前記電流フローを示す第２の信号を生成するように動作可能な第２の検出回路と、ここにおいて、前記第２の検出回路は、デジタル回路を備える、および、
前記システム電力ノードおよび前記バッテリー・ノードの間に接続されているバッテリー・スイッチと、なお、前記バッテリー・スイッチは、オン状態およびオフ状態を有し、ここにおいて、前記バッテリー・ノードは、前記バッテリー・スイッチが前記オン状態であるときに前記システム電力ノードに電気的に接続され、前記バッテリー・スイッチが前記オフ状態であるときに前記システム電力ノードから電気的に接続解除され、
前記バッテリー・スイッチは、前記比較器回路によって検出される、前記バッテリー・ノードおよび前記システム電力ノードの間の前記電圧差に基づいて前記オン状態であり、
前記バッテリー・スイッチは、前記第１の検出回路が前記第１の信号を生成するときに、または、前記第２の検出回路が前記第２の信号を生成するときに、前記オフ状態である、
を備えるバッテリー充電回路。
［Ｃ２］ 前記第１の検出回路は、第１の検出下限を有し、前記第２の検出回路は、前記第１の検出下限未満の第２の検出下限を有する、Ｃ１に記載の回路。
［Ｃ３］ 前記第１の検出回路は、前記第２の検出回路の検出時間より速い検出時間を有する、Ｃ２に記載の回路。
［Ｃ４］ 前記第１の検出回路は、アナログ比較器であり、前記第２の検出回路は、シグマ・デルタ・アナログ・デジタル変換器（ＡＤＣ）である、Ｃ１に記載の回路。
［Ｃ５］ 前記第１の検出回路は、アナログ比較器であり、前記第２の検出回路は、クーロン計数ＡＤＣである、Ｃ１に記載の回路。
［Ｃ６］ 前記第１の検出回路から離れているバッテリー監視システム（ＢＭＳ）をさらに備え、ここにおいて、前記ＢＭＳは、前記第２の検出回路を備える、Ｃ１に記載の回路。
［Ｃ７］ 前記第２の検出回路は、前記ＢＭＳにおけるシグマ・デルタＡＤＣである、Ｃ６に記載の回路。
［Ｃ８］ 前記第２の検出回路は、前記ＢＭＳにおけるクーロン計数ＡＤＣである、Ｃ６に記載の回路。
［Ｃ９］ バッテリーの充電が有効にされるかどうかを示すバッテリー充電イネーブル信号をさらに備え、ここにおいて、前記バッテリー・スイッチは、前記バッテリー充電イネーブル信号が、バッテリーの充電が無効にされることを示すときにのみ、前記第１の検出回路および前記第２の検出回路によって制御可能である、Ｃ１に記載の回路。
［Ｃ１０］ 前記外部電源は、ＤＣ調整電圧源である、Ｃ１に記載の回路。
［Ｃ１１］ 外部電源、バッテリーおよびロードに接続するための接続を有するバッテリー充電回路であって、前記バッテリー充電回路は、
前記ロードの電気の流れ（「電流」）の要求が、前記外部電源の電流容量を超過するときに、前記外部電源および前記バッテリーを前記ロードに接続するための、電圧崩壊保護（ＶＣＰ）起動手段と、
前記バッテリーを通る電流フローを感知し、前記電流フローを示す第１の信号をアサートするための第１の信号手段と、
前記バッテリーを通る前記電流フローを感知し、前記電流フローを示す第２の信号をアサートするための第２の信号手段と、および、
前記第１の信号がアサートされるか前記第２の信号がアサートされるときに、前記ロードから前記バッテリーを接続解除するためのＶＣＰ終了手段と
を備える、バッテリー充電回路。
［Ｃ１２］ 前記第１の信号手段は、前記第２の信号手段の検出下限より大きい検出下限を有する、Ｃ１１に記載の回路。
［Ｃ１３］ 前記第１の信号手段は、前記第２の信号手段の検出時間より速い検出時間を有する、Ｃ１１に記載の回路。
［Ｃ１４］ 前記第１の信号手段は、アナログ回路であり、前記第２の信号手段は、デジタル回路である、Ｃ１１に記載の回路。
［Ｃ１５］ 前記バッテリー充電回路は、バッテリー管理システム（ＢＭＳ）をさらに備え、ここにおいて、前記第１の信号手段は、前記ＢＭＳから離れており、ここにおいて、前記第２の信号手段は、前記ＢＭＳにおいて回路を備える、Ｃ１１に記載の回路。
［Ｃ１６］ 前記ＶＣＰ起動手段は、前記外部電源の電圧レベル、および前記バッテリーの電圧レベルを感知するために接続されている比較器を備える、Ｃ１１に記載の回路。
［Ｃ１７］ バッテリー充電回路における方法であって、
前記バッテリー充電回路において電圧崩壊保護（ＶＣＰ）の動作を起動し、これによって外部電源からの電流およびバッテリーからの電流をロードに提供することと、
前記バッテリーを通る電流フローを示す第１の信号をアサートするために第１の検出回路を使用して、および、前記バッテリーを通る前記電流フローを示す第２の信号をアサートするために第２の検出回路を使用して、前記バッテリーを通る前記電流フローを感知することと、および、
前記第１の信号が前記第１の検出回路によってアサートされるか、前記第２の信号が前記第２の検出回路によってアサートされるときに、前記ＶＣＰの動作を終了することと、
なお、前記第１の検出回路は、第１の検出下限を有し、前記第２の検出回路は、前記第１の検出下限より小さい第２の検出下限を有する、
を備える方法。
［Ｃ１８］ 前記第１の検出回路は、前記第２の検出回路の検出時間より短い検出時間を有する、Ｃ１７に記載の方法。
［Ｃ１９］ 前記第１の検出回路は、アナログ回路であり、前記第２の検出回路は、デジタル回路である、Ｃ１７に記載の方法。
［Ｃ２０］ 前記第２の検出回路は、ＡＤＣ回路である、Ｃ１９に記載の方法。
［Ｃ２１］ 前記バッテリー充電回路は、バッテリー管理システム（ＢＭＳ）を備え、ここにおいて、前記第１の検出回路は、前記ＢＭＳから離れており、前記第２の検出回路は、前記ＢＭＳのコンポーネントである、Ｃ１７に記載の方法。
［Ｃ２２］ 前記ＶＣＰの動作を終了することは、前記ロードから前記バッテリーを接続解除することを含む、Ｃ１７に記載の方法。